(57)【特許請求の範囲】
【請求項１】
太陽電池本体の周縁部を長尺状の４つの枠片で保持する枠体を備えた太陽電池モジュールが設置面上に上下方向及び左右方向にそれぞれ隣接して設置される太陽電池モジュールの排水構造であって、
前記左右方向に隣接設置される前記太陽電池モジュールの隣接する前記左右の枠片には、前記上下方向の全長にわたって互いに嵌合する嵌合部が設けられ、前記嵌合部には前記太陽電池モジュールの表面側から浸入した水を受け止める受け止め部が前記上下方向の全長にわたって設けられ、前記受け止め部と前記設置面との間には、前記受け止め部を流れてくる水を排水する水樋が前記上下方向に沿って敷設されていることを特徴とする太陽電池モジュールの排水構造。
【請求項２】
請求項１に記載の太陽電池モジュールの排水構造であって、
前記受け止め部の端部が前記水樋の上部に位置していることを特徴とする太陽電池モジュールの排水構造。
【請求項３】
請求項２に記載の太陽電池モジュールの排水構造であって、
前記太陽電池モジュールは、前記上下の枠片によって前記設置面上に支持されており、前記左右の枠片は前記設置面と接触しない構造とされていることを特徴とする太陽電池モジュールの排水構造。
【請求項４】
請求項３に記載の太陽電池モジュールの排水構造であって、
前記左右の枠片は、前記水樋と接触しない構造とされていることを特徴とする太陽電池モジュールの排水構造。
【請求項５】
請求項１から請求項４までのいずれか１項に記載の太陽電池モジュールの排水構造であって、
前記上下方向に隣接設置される前記太陽電池モジュールの隣接する前記上下の枠片には、前記太陽電池モジュールの表面側から浸入した水を受け止める横方向受け止め部が前記左右方向の全長にわたって設けられ、前記横方向受け止め部の端部が前記水樋の上部に位置していることを特徴とする太陽電池モジュールの排水構造。
【請求項６】
太陽電池本体の周縁部を長尺状の４つの枠片で保持する枠体を備えた太陽電池モジュールであって、
対向する少なくとも一対の前記枠片のうち一方の枠片には、前記太陽電池本体の縁部を保持する延長屈曲片の屈曲部から前記太陽電池本体とは反対側の横方向に向かって上水受け片が設けられ、
他方の枠片には、前記太陽電池本体の縁部を保持する延長屈曲片の延長部から前記太陽電池本体とは反対側の横方向に向かって下水受け片が設けられ、
前記一方の枠片の底面から前記上水受け片までの高さと前記他方の枠片の底面から前記延長屈曲片までの高さとが同じ高さとされていることを特徴とする太陽電池モジュール。
【請求項７】
請求項６に記載の太陽電池モジュールであって、
一の太陽電池モジュールの前記他方の枠片の前記下水受け片の屈曲先端部が隣接する他の太陽電池モジュールの前記一方の枠片に当接し、前記他の太陽電池モジュールの前記一方の枠片の前記上水受け片の屈曲先端部が前記一の太陽電池モジュールの前記他方の枠片に当接し、かつ、当接面同士が略平行であることを特徴とする太陽電池モジュール。
【発明の詳細な説明】
【技術分野】
【０００１】
本発明は、屋根等に設置された太陽電池モジュール及びその排水構造に関する。
【背景技術】
【０００２】
住宅用の太陽光発電システムにおいて、これまでは太陽電池モジュールを既存の屋根に設置することが行われてきた。しかし、最近では、太陽電池モジュールに瓦の機能を持たせた瓦一体型太陽電池モジュールの開発が行われている。瓦一体型太陽電池モジュールに求められる機能としては、発電システムとしての太陽電池モジュールに求められる機能に加えて、防火性、防水性等がある。防水性に関しては特許文献１，２に開示されている。
【０００３】
特許文献１には、屋根の下地材に取り付けられた支持部材に太陽電池モジュールが支持されており、下地材の太陽電池モジュールの設置面に相当する部分と支持部材とに、板状またはシート状の防水性を有したカバー材が被覆されている。また、太陽電池モジュールと周囲の屋根の仕上材との間に、防水構造物が介装された構成となっている。また、太陽電池モジュールは、方形の単位パネルが連結フレームで継がれ、外周部分が支持フレームに支持される取付用フレームで囲まれた構成となっている。
【０００４】
また、特許文献２には、屋根の上面に、排水溝部を有する樋部材を固定し、各太陽電池モジュールの側縁に竪枠を設け、この竪枠の側縁部に設けた導水板部を、排水溝部内に進入させる構成が開示されている。
【先行技術文献】
【特許文献】
【０００５】
【特許文献１】特開２０１０−１６３８１５号公報
【特許文献２】特開２００２−１２９７１０号公報
【発明の概要】
【発明が解決しようとする課題】
【０００６】
ところで、防水性に関しては、太陽電池モジュール同士のつなぎ部から水が入り込まないようにする必要がある。
【０００７】
しかし、特許文献１に開示されている技術では、方形の単位パネルが連結フレームで継がれ、外周部分が支持フレームに支持される取付用フレームで囲まれた構成となっており、水漏れが起こり易い連結フレームの連結部分の防水については何ら考慮されていない。
【０００８】
また、特許文献２に開示されている技術では、隣接する太陽電池モジュール同士は接していない。すなわち、隣り合う竪樋は接していないため、屋根に降った雨は、直接、樋部材に流れ込むことになる。そのため、強い雨が降った場合にも対応できるように、大量の水を流すことのできる構造にしておく必要がある。そのためには、導水板部を十分な高さにしておく必要がある。また、太陽電池モジュールの連結部の防水については、樋部材のみで対応しているため、十分な防水効果が得られないといった問題があった。
【０００９】
本発明はかかる問題点を解決すべく創案されたもので、その目的は、より屋根野地面に水を通さない太陽電池モジュールの排水構造及びその太陽電池モジュールを提供することにある。
【課題を解決するための手段】
【００１０】
上記課題を解決するため、本発明に係る太陽電池モジュールの排水構造は、太陽電池本体の周縁部を長尺状の４つの枠片で保持する枠体を備えた太陽電池モジュールが設置面上に上下方向及び左右方向にそれぞれ隣接して設置される太陽電池モジュールの排水構造であって、前記左右方向に隣接設置される前記太陽電池モジュールの隣接する前記左右の枠片には、前記上下方向の全長にわたって互いに嵌合する嵌合部が設けられ、前記嵌合部には前記太陽電池モジュールの表面側から浸入した水を受け止める受け止め部が前記上下方向の全長にわたって設けられ、前記受け止め部と前記設置面との間には、前記受け止め部を流れてくる水を排水する水樋が前記上下方向に沿って敷設されていることを特徴としている。
【００１１】
このように、太陽電池モジュールの隣接する左右の枠片に、嵌合部と受け止め部とを上下方向の全長にわたって設け、かつ、受け止め部と設置面との間に水樋を上下方向に沿って敷設したので、太陽電池モジュールの受光面側から左右の枠片に浸入した雨水等を受け止め部で受け止め、さらに受け止め部から雨水等が溢れた場合でも、その下に水樋が敷設されているので、溢れた雨水等も確実に排水することができる。
【００１２】
また、本発明に係る太陽電池モジュールの排水構造によれば、前記受け止め部の端部が前記水樋の上部に位置する構成としている。この構成によれば、受け止め部の端部が水樋の上部に位置しているので、受け止め部を流れてきた雨水等は、その端部から水樋に確実に排水することができる。
【００１３】
また、本発明に係る太陽電池モジュールの排水構造によれば、前記太陽電池モジュールは、前記上下の枠片によって前記設置面上に支持されており、前記左右の枠片は前記設置面及び前記水樋と接触しない構造としている。
【００１４】
このように、左右の枠片を水樋と接触しない構造とすることで、左右の枠片の底面と水樋との間の隙間にも水が流れる構造となるため、水の流れる流路幅を十分広く確保することができる。さらに、太陽電池モジュールを設置するときの施工誤差を吸収することも可能となる。
【００１５】
また、本発明に係る太陽電池モジュールの排水構造によれば、前記左右の枠片は、前記水樋と接触しない構造とされている。太陽電池モジュールの左右の枠片と水樋とをビス止めしてしまうと、太陽電池モジュールのサイズ差やそり等により水樋に負荷がかかることになるが、左右の枠片と水樋とを接触しない構造（具体的にはビス止めしない構造）とすることで、施工誤差を吸収し、水樋にかかる負荷を軽減することができる。
【００１６】
また、本発明に係る太陽電池モジュールの排水構造によれば、前記上下方向に隣接設置される前記太陽電池モジュールの隣接する前記上下の枠片には、前記太陽電池モジュールの表面側から浸入した水を受け止める横方向受け止め部が前記左右方向の全長にわたって設けられ、前記横方向受け止め部の端部が前記水樋の上部に位置する構成としている。
【００１７】
このように、上下の枠片にも、横方向受け止め部を設け、その端部を水樋の上部に位置させることで、太陽電池モジュールの受光面側から上下の枠片に浸入した雨水等を横方向受け止め部で受け止め、次に水樋に流して確実に排水することができる。
【００１８】
また、本発明の太陽電池モジュールは、太陽電池本体の周縁部を長尺状の４つの枠片で保持する枠体を備えた太陽電池モジュールであって、対向する少なくとも一対の前記枠片のうち一方の枠片には、前記太陽電池本体の縁部を保持する延長屈曲片の屈曲部から前記太陽電池本体とは反対側の横方向に向かって上水受け片が設けられ、他方の枠片には、前記太陽電池本体の縁部を保持する延長屈曲片の延長部から前記太陽電池本体とは反対側の横方向に向かって下水受け片が設けられ、前記一方の枠片の底面から前記上水受け片までの高さと前記他方の枠片の底面から前記延長屈曲片までの高さとが同じ高さとされていることを特徴としている。また、一の太陽電池モジュールの前記他方の枠片の前記下水受け片の屈曲先端部が隣接する他の太陽電池モジュールの前記一方の枠片に当接し、前記他の太陽電池モジュールの前記一方の枠片の前記上水受け片の屈曲先端部が前記一の太陽電池モジュールの前記他方の枠片に当接し、かつ、当接面同士が略平行に設けられた構成としている。
【発明の効果】
【００１９】
本発明によれば、より高いレベルで屋根野地面に水を通さない、太陽電池モジュールの排水構造及びその太陽電池モジュールを提供することができる。
【図面の簡単な説明】
【００２０】
【図１】本発明に係る枠体を備えた太陽電池モジュールの全体構成を示す斜視図である。
【図２】図１のＡ−Ａ線断面図である。
【図３】図１のＢ−Ｂ線断面図である。
【図４】第１枠片の断面図である。
【図５】第２枠片の断面図である。
【図６】第３枠片の断面図である。
【図７】第４枠片の断面図である。
【図８】図１におけるＣ部分を矢符ｃ１方向から見た分解斜視図である。
【図９】図１におけるＤ部分を矢符ｄ１方向から見た分解斜視図である。
【図１０】図１におけるＥ部分を矢符ｅ１方向から見た分解斜視図である。
【図１１】図１におけるＦ部分を矢符ｆ１方向から見た分解斜視図である。
【図１２】太陽電池モジュールを屋根上に敷設した状態を示す斜視図である。
【図１３】図１２のＧ−Ｇ線断面図である。
【図１４】図１２のＨ−Ｈ線断面図である。
【図１５】図１２のＩ部分を矢符ｉ１方向から見た斜視図である。
【図１６】図１２のＪ−Ｊ線断面図である。
【図１７】水樋の斜視図である。
【図１８】太陽電池モジュールを積み重ねた状態を示す正面から見た断面図である。
【発明を実施するための形態】
【００２１】
以下、本発明の実施の形態について、図面を参照して説明する。
【００２２】
図１は、本発明に係る枠体を備えた太陽電池モジュールの全体構成を示す斜視図、図２は、図１のＡ−Ａ線断面図、図３は、図１のＢ−Ｂ線断面図である。本実施形態に係る太陽電池モジュールは、太陽電池モジュールに瓦の機能を持たせた瓦一体型太陽電池モジュールである。
【００２３】
図１に示すように、本実施形態の太陽電池モジュール１は、太陽電池モジュール本体２と、太陽電池モジュール本体２の周縁部を保持する枠体３とで構成されている。
【００２４】
本実施形態では、太陽電池モジュール本体２は特に限定されるものではなく、例えば、単結晶、多結晶、薄膜等のシリコン系太陽電池、ＧａＡｓ,ＣｄＴｅ,ＣｄＳ等の化合物系太陽電池、色素増感、有機薄膜等の有機系太陽電池等を挙げることができる。
【００２５】
枠体３は、太陽電池モジュール本体２の周縁部を保持する長尺状の４つの枠片で構成されており、太陽電池モジュール本体２の長辺側を保持する長尺状の第１枠片１０及び第２枠片２０と、太陽電池モジュール本体２の短辺側を保持する長尺状の第３枠片３０及び第４枠片４０とで構成されている。
【００２６】
各枠片１０，２０，３０，４０は、アルミニウムの押出加工によりそれぞれ成形されている。第１枠片１０は、太陽電池モジュール本体２における住宅軒側に位置する縁部を保持している。第２枠片２０は、太陽電池モジュール本体２における住宅棟側に位置する縁部を保持している。第３枠片３０及び第４枠片４０は、太陽電池モジュール本体２の左右両側縁部をそれぞれ保持すると共に、その両端部を、第１枠片１０及び第２枠片２０の両端部に連結している。
【００２７】
次に、これら各枠片１０，２０，３０，４０の構成について説明する。
【００２８】
図４は、第１枠片１０の断面図、図５は、第２枠片２０の断面図、図６は、第３枠片３０の断面図、図７は、第４枠片４０の断面図である。また、図８は、図１におけるＣ部分を矢符ｃ１方向から見た分解斜視図、図９は、図１におけるＤ部分を矢符ｄ１方向から見た分解斜視図、図１０は、図１におけるＥ部分を矢符ｅ１方向から見た分解斜視図、図１１は、図１におけるＦ部分を矢符ｆ１方向から見た分解斜視図である。
【００２９】
＜第１枠片１０の説明＞
図２及び図４に示すように、第１枠片１０は、太陽電池モジュール本体２を保持するときの脚部となる長尺状の主板１１を備えており、主板１１の長手方向に直交する高さ方向の上端部には、その一側面（以下、右側面という。）１１ａに、太陽電池モジュール本体２の縁部を横方向から嵌め合わせて嵌合保持する上下一対の保持片１２ａ，１２ｂが水平に延設されている。
【００３０】
一方、右側面１１ａと反対側の他側面（以下、左側面という。）１１ｂには、その上端部から太陽電池モジュール本体２とは反対側に向かって横方向に重なり片１３が延設されており、この重なり片１３の下部の左側面１１ｂに、同じく太陽電池モジュール本体２とは反対側に向かって横方向に第1横方向水受け片（第１水受け部）１４が延設されている。第1横方向水受け片１４の横方向の長さは、重なり片１３の横方向の長さより十分短く設定されている。
【００３１】
一方、主板１１の右側面１１ａの下端部には、太陽電池モジュール本体２の底面側に向かって横方向に嵌め込み受け片１５が延設されている。嵌め込み受け片１５は、主板１１の右側面１１ａから横方向に延設された後、下方に屈曲され、さらに、主板１１側に向かって横方向に屈曲された鉤形形状となっている。
【００３２】
一方、主板１１の左側面１１ｂの下端部（より具体的には、嵌め込み受け片１５と対向する位置）には、太陽電池モジュール本体２とは反対側に向かって下側リブ片１６が延設されている。下側リブ片１６の長さは、重なり片１３の横方向の長さより十分短く設定されている。
【００３３】
さらに、主板１１の右側面１１ａには、太陽電池モジュール本体２の縁部を横方向から嵌め合わせて嵌合保持する上側の保持片１２ｂと嵌め込み受け片１５との間に、上下に所定の間隔を存して一対のネジホール部１７が設けられている。ネジホール部１７は、断面Ｃ字状に形成されているが、断面が完全な円筒形状であってもよい。
【００３４】
また、図８及び図１１に示すように、第１枠片１０の両端部は、下側のネジホール部１７より下部側の構成部材が一定長さＬ１だけ切り欠かれている。具体的には、下側のネジネール部１７より下側の主板１１、嵌め込み受け片１５及び下側リブ片１６が一定長さＬ１だけ切り欠かれている。この切欠き部は、後述する水樋５０との接触を避けるために設けられている。
【００３５】
＜第２枠片２０の説明＞
図２及び図５に示すように、第２枠片２０は、太陽電池モジュール本体２を保持するときの脚部となる長尺状の主板２１を備えており、主板２１の長手方向に直交する高さ方向の上端部には、その一側面（以下、左側面という。）２１ｂに、太陽電池モジュール本体２の縁部を横方向から嵌め合わせて嵌合保持する上下一対の保持片２２ａ，２２ｂが水平に延設されている。
【００３６】
一方、左側面２１ｂと反対側の他側面（以下、右側面という。）２１ａには、その上端部から太陽電池モジュール本体２とは反対側に向かって横方向に重なり受け片２３が延設されており、この重なり受け片２３の下部の右側面２１ａに、同じく太陽電池モジュール本体２とは反対側に向かって横方向に第２水受け部２４が延設されている。第２水受け部２４は、右側面２１ａから横方向に延設された第２横方向水受け片２４ａと、第２横方向水受け片２４ａの先端縁部から上方向に延設された縦方向水受け片２４ｂとを備えており、この縦方向水受け片２４ｂの上端部と重なり片２３の先端部との間の隙間が、水受け口となっている。
【００３７】
また、主板２１の右側面２１ａの下端部には、太陽電池モジュール本体２とは反対側に向かって横方向に嵌め込み片２５が延設されている。横方向に延設された嵌め込み片２５は、その途中が階段状に屈曲形成されており、その屈曲先端部２５ａが第１枠片１０の鉤形に形成された嵌め込み受け片１５に嵌め込み自在となっている。また、嵌め込み片２５の基端部側は、主板２１の左側面２１ｂ側に延設されており、主板２１と嵌め込み片２５とが逆Ｔ字状に連結されるように構成されている。
【００３８】
さらに、主板２１の左側面２１ｂには、太陽電池モジュール本体２の縁部を横方向から嵌め合わせて嵌合保持する上側の保持片２２ｂと嵌め込み片２５の延設部との間に、上下に所定の間隔を存して一対のネジホール部２７が設けられている。ネジホール部２７は、断面Ｃ字状に形成されているが、断面が完全な円筒形状であってもよい。
【００３９】
また、図９及び図１０に示すように、第２枠片２０の両端部は、下側のネジホール部２７より下部側の構成部材が一定長さＬ１だけ切り欠かれている。具体的には、下側のネジネール部２７より下側の主板２１及び嵌め込み片２５が一定長さＬ１だけ切り欠かれている。この切欠き部は、後述する水樋５０との接触を避けるために設けられている。
【００４０】
上記構成において、第１枠片１０の高さと第２枠片２０の高さＴ２０とは同じ高さ（Ｔ１０＝Ｔ２０）に形成されている。
【００４１】
＜第３枠片３０の説明＞
図３及び図６に示すように、第３枠片３０は、本実施形態では太陽電池モジュール本体２の左側の短辺を保持する枠体であって、矩形の閉断面を有する主体部３１を備えていると共に、この主体部３１の上面の外側端（図６では左側端）から上方に延びた後、内側（主体部３１の上面側）に屈曲された延長屈曲片３２が設けられている。この延長屈曲片３２と主体部３１の上面３１ａとで太陽電池モジュール本体２の短辺側の縁部を横方向から嵌め合わせて嵌合保持する上下一対の保持片を構成している。また、延長屈曲片３２の基端部から外側方向（主体部３１の上面３１ａと反対方向）に向かって横方向に短辺側下水受け片３４が延設されている。この短辺側下水受け片３４は、先端部が上方に屈曲された屈曲先端部３４ａを備えている。また、主体部３１の下面の内側端（図６では右側端）から横方向に延設されて下側リブ片３５が設けられている。
【００４２】
また、図１０及び図１１に示すように、第３枠片３０の両端部は、主体部３１の外壁面を長手方向に延設した取付片３６となっており、この取付片３６に、第１枠片１０のネジボール部１７にネジ部材を取り付けるためのネジ穴３７（図１１参照）、及び第２枠片２０のネジボール部２７にネジ部材を取り付けるためのネジ穴３８（図１０参照）が設けられている。
【００４３】
ただし、第１枠片１０の端部に対峙する一方の取付片３６（図１１参照）は、第１枠片１０の主板１１まで長手方向（横方向）に延設されており、第１枠片１０の重なり片１３や第1横方向水受け片１４、及び下側リブ片１６は被覆しない構成となっている。同様に、第２枠片２０に対峙する他方の取付片３６（図１０参照）は、第２枠片２０の主板２１まで長手方向（横方向）延設されており、第２枠片２０の重なり受け片２３や第２水受け部２４、及び嵌め込み片２５は被覆しない構成となっている。すなわち、第1横方向水受け片１４や第２水受け部２４の端部を閉鎖しない構成となっている。
【００４４】
＜第４枠片４０の説明＞
図３及び図７に示すように、第４枠片４０は、本実施形態では太陽電池モジュール本体２の右側の短辺を保持する枠体であって、矩形の閉断面を有する主体部４１を備えていると共に、この主体部４１の上面の外側端（図７では右側端）から上方に延びた後、内側（主体部３１の上面側）に屈曲された延長屈曲片４２が設けられている。この延長屈曲片４２と主体部４１の上面４１aとで太陽電池モジュール本体２の短辺側の縁部を横方向から嵌め合わせて嵌合保持する上下一対の保持片を構成している。また、延長屈曲片４２の屈曲部から外側方向（主体部４１の上面と反対方向）に向かって横方向に短辺側上水受け片４４が延設されている。この短辺側上水受け片４４は、先端部が下方に屈曲された屈曲先端部４４ａを備えている。また、主体部４１の下面の内側端（図７では左側端）から横方向に延設されて下側リブ片４５が設けられている。
【００４５】
また、図８及び図９に示すように、第４枠片４０の両端部は、主体部４１の外壁面を長手方向に延設した取付片４６となっており、この取付片４６に、第１枠片１０のネジボール部１７にネジ部材を取り付けるためのネジ穴４７（図８参照）、及び第２枠片２０のネジボール部２７にネジ部材を取り付けるためのネジ穴４８（図９参照）が設けられている。
【００４６】
ただし、第１枠片１０の端部に対峙する一方の取付片４６（図８参照）は、第１枠片１０の主板１１まで長手方向（横方向）に延設されており、第１枠片１０の重なり片１３や第1横方向水受け片１４、及び下側リブ片１６は被覆しない構成となっている。同様に、第２枠片２０に対峙する他方の取付片４６（図９参照）は、第２枠片２０の主板２１まで長手方向（横方向）延設されており、第２枠片２０の重なり受け片２３や第２水受け部２４、及び嵌め込み片２５は被覆しない構成となっている。すなわち、第1横方向水受け片１４や第２水受け部２４の端部を閉鎖しない構成となっている。
【００４７】
上記構成において、第３枠片３０の高さＴ３０と、第４枠片４０の高さＴ４０とは、同じ高さ（Ｔ３０＝Ｔ４０）となるように形成されている。一方、第３枠片３０及び第４枠片４０の高さは、第１枠片１０及び第２枠片２０の高さよりも低くなるように形成されている。具体的には、第３枠片３０及び第４枠片４０の高さは、第１枠片１０及び第２枠片２０の高さよりも約５ｍｍ低くなっている。第３枠片３０及び第４枠片４０の高さは、第１枠片１０及び第２枠片２０の高さよりも低くなるように形成することで、後で述べる水樋５０を第３枠片３０及び第４枠片４０の下に設置することが可能となる。
【００４８】
上記構成の各枠片１０，２０，３０，４０を用いて、太陽電池モジュール１を次のように組み立てる。
【００４９】
まず、太陽電池モジュール本体２の周端部に、図示しない端面封止部材が嵌め込まれる。この端面封止部材は、太陽電池モジュール本体２の端部の外形に沿って形成された枠形状をしており、例えばエラストマー樹脂により形成されている。そして、この端面封止部材が嵌め込まれた太陽電池モジュール本体２の周端部のうち、長辺側の対向する縁部に、第１枠片１０の保持片１２ａ，１２ｂと第２枠片２０の保持片２２ａ，２２ｂとをそれぞれ嵌め込み（図２参照）、短辺側の対向する縁部に、第３枠片３０の延長屈曲片３２と主体部３１の上面３１ａとからなる保持片と、第４枠片４０の延長屈曲片４２と主体部４１の上面４１ａとからなる保持片とをそれぞれ嵌め込む（図３参照）。
【００５０】
そして、図１０及び図１１に示すように、第１枠片１０の端部及び第２枠片２０の端部と、第３枠片３０の両端部の取付片３６とをそれぞれ対峙させ、各取付片３６の外側からネジ部材６０をネジ穴３７，３８にそれぞれ通して、対峙する第１枠片１０及び第２枠片２０の各ネジホール部１７，２７にねじ込む。
【００５１】
同様に、図８及び図９に示すように、第１枠片１０の端部及び第２枠片２０の端部と、第４枠片４０の両端部の取付片４６とをそれぞれ対峙させ、各取付片４６の外側からネジ部材６０をネジ穴４７，３８にそれぞれ通して、対峙する第１枠片１０及び第２枠片２０の各ネジホール部１７，２７にねじ込む。
【００５２】
これにより、図１ないし図３に示すように、太陽電池モジュール本体２の周縁部が４つの枠片１０，２０，３０，４０によって保持される。
【００５３】
このようにして組み立てられた太陽電池モジュール１を、本実施形態では設置面である屋根上に順次敷設していく。
【００５４】
図１２は、太陽電池モジュール１を屋根上に敷設した状態を示す斜視図であり、図中左下側が軒側、右上側が棟側である。なお、図１２では、隣接して敷設された４つの太陽電池モジュール１のみを図示している。また、図１３は、図１２のＧ−Ｇ線断面図、図１４は、図１２のＨ−Ｈ線断面図、図１５は、図１２のＩ部分を矢符ｉ１方向から見た斜視図、図１６は、図１５のＪ−Ｊ線断面図、図１７は、水樋の斜視図である。ここで、以下の説明では、軒側を傾斜下流側（以下、単に下側）、棟側を傾斜上流側（以下、単に上側）ともいう。
【００５５】
屋根上への敷設に際し、まず、下側から上側に向かって敷設していく場合を説明し、その後で、横方向に敷設していく場合を説明する。
【００５６】
＜上下方向への敷設構造の説明＞
屋根上への敷設に際し、太陽電池モジュール１は、第１枠片１０側を下側（軒側）に、第２枠片２０を上側（棟側）にして配置し、下側の太陽電池モジュール１の第２枠片２０と上側の太陽電池モジュール１の第１枠片１０とが重なり合うように配置していく。
【００５７】
すなわち、図１３に示すように、下側の第２枠片２０に設けられた嵌め込み片２５を、上側の太陽電池モジュール１の第１枠片１０に設けられた嵌め込み受け片１５に嵌め込み、かつ、第１枠片１０に設けられた重なり片１３を、第２枠片２０の上端面（より具体的には、上側の保持片２２ａの上面）に重なるように配置する。
【００５８】
このように、対向する下側の太陽電池モジュール１の第２枠体２０と上側の太陽電池モジュール１の第１枠体１０とが重なり合う構造となっているので、太陽電池モジュール１同士のつなぎ目部分（枠体の重なり部分）から水が入り込むことを防止することができる。
【００５９】
また、本実施形態では、第２枠片２０は、主板２１の右側面２１ａの上端部から太陽電池モジュール本体２とは反対側に向かって横方向に重なり受け片２３が延設されており、第１枠片１０の重なり片１３は、この重なり受け片２３にも重なる構成となっている。このように、重なり片１３を重なり受け片２３で受けることで、重なり部分の面積が増大し、重なり状態がより安定することになる。
【００６０】
さらに、本実施形態では、第２枠片２０の外側面に、第２横方向水受け片２４ａと縦方向水受け片２４ｂとからなる第２水受け部２４が設けられ、第１枠片１０の外側面に、第1横方向水受け片（第１水受け部）１４が設けられており、第1横方向水受け片１４は、縦方向水受け片２４ｂの上端縁部の上方よりさらに第２枠体に近い位置まで達するように設けられている。
【００６１】
このように、隣接する太陽電池モジュール１同士の対向する枠片間に第２水受け部２４を設けることで、枠体の表面から侵入し、第１枠体の第1水受け片１４を伝った水を、第２水受け部２４で受け止めて、第２水受け部２４内を下側の端部に向かって流すことができる。これにより、屋根野地面上に雨水等が直接かかることを防止することができる。
【００６２】
なお、太陽電池モジュール１の屋根上への固定については、第２枠片２０のみを屋根上に固定し、これに対向する第１枠片１０については、固定部材による固定は行わない。すなわち、第２枠片２０の嵌め込み片２５をビスやネジ等の固定部材（図示省略）によって長手方向の２箇所を固定し、これに対向する第１枠片１０については、嵌め込み受け片１５を第２枠片２０の嵌め込み片２５の屈曲先端部２５ａに嵌め込むことで屋根上に固定する。
【００６３】
このように、下側の太陽電池モジュール１の第２枠片２０に設けられた嵌め込み片２５を、ビスやネジ等の固定部材によって屋根上に固定することで、その上側に隣接配置される太陽電池モジュール１の第１枠片１０は、第１枠片１０に設けられた嵌め込み受け片１５を、嵌め込み片２５に嵌め込むだけで屋根上に固定できる。これにより、固定部材によって屋根上に直接固定する箇所を削減することができるので、屋根といった足場の悪い場所での設置作業が容易となる。また、固定部材を減らすことができるので、コストを削減できるとともに、敷設現場での部品数が減るため、設置作業ミスも減らすことが可能である。
【００６４】
第２枠片２０の重力は、第１枠片１０にかかることになる。よって、第１枠片１０と、第２枠片２０を接続するための連結部材も不要となる。
【００６５】
＜横方向への敷設構造の説明＞
横方向については、図１４ないし図１６に示すように、第３枠片３０の短辺側下水受け片３４と第４枠片４０の短辺側上水受け片４４とが上下に対峙し、かつ、第３枠片３０の短辺側下水受け片３４の屈曲先端部３４ａが第４枠片４０の延長屈曲片４２の外面に当接し、第４枠片４０の短辺側上水受け片４４の屈曲先端部４４ａが第３枠片３０の延長屈曲片３２の外面に当接するようにして隣接配置する。すなわち、短辺側上水受け片４４と短辺側下水受け片３４とが上下に重なり合う構造（嵌合構造）となっている。
【００６６】
このように、左右に隣接する太陽電池モジュール１の第３枠体３０と第４枠体４０とのつなぎ目部分が上下に重なり合う構造となっているので、左右に隣接する太陽電池モジュール１同士の短辺側のつなぎ目部分（枠体の重なり部分）から水が入り込むことを防止することができる。
【００６７】
上記の配置構成によれば、隣接する第３枠片３０と第４枠片４０との間には、短辺側下水受け片３４と短辺側上水受け片４４とが嵌まり合うだけの隙間Ｐが生じている。そこで、本実施形態では、この隣接する第３枠片３０と第４枠片４０との間に排水用の水樋５０を上下方向に配置している。すなわち、第３枠片３０と第４枠片４０とは、屋根上に敷設された水樋５０上に配置されている。
【００６８】
この水樋５０は、図１７に示すように、上側（棟側）から下側（軒側）に向かって縦長に形成された長尺状の板体である樋本体５１を備えており、この樋本体５１の上面に、幅方向に沿って一定の間隔を存して縦方向に延びた一対の導水壁５２が形成されている。すなわち、樋本体５１と一対の導水壁５２とで断面上向きコ字状の溝部５３を形成し、この溝部５３内に、第３枠片３０と第４枠片４０とが配置された構成となっている。
【００６９】
ここで、上記したように、第３枠片３０及び第４枠片４０は、第１枠片１０及び第２枠片２０より高さが低く形成されている。そのため、水樋５０上に配置された第３枠片３０及び第４枠片４０は、その底面３１ｂ，４１ｂが、溝部５３の底面である樋本体５１から浮いた状態で配置されている。このように、第３枠片３０及び第４枠片４０を、水樋５０の溝部５３から浮いた状態とすることで、第３枠片３０及び第４枠片４０と溝部５３との間の隙間にも水が流れる構造となる。これにより、水の流れる流路を十分に確保することができる。また、相対的に導水壁５２の高さを低くすることが可能となる。さらに、第３枠片３０及び第４枠片４０を、水樋５０の溝部５３から浮いた設計とすることで、太陽電池モジュールを設置する際の、施工誤差を吸収することができる。
【００７０】
また、第３枠片３０及び第４枠片４０と水樋５０とは接触しない構造となっている。すなわち、第３枠片３０及び第４枠片４０と水樋５０とはビス止め等での接続を行っていない。太陽電池モジュール１にはサイズの差やそり等があり、また、必ずしも平面でない屋根上に水樋５０を設置している。そのため、太陽電池モジュール１の枠体３と水樋５０とをビス止めしてしまうと、水樋５０に負荷がかかることになるが、本実施形態のように、枠体３と水樋５０とをビス止めしない構造とすることで、施工誤差を吸収し、水樋５０にかかる負荷を軽減することができる。
【００７１】
一方、横枠片である第１枠片１０及び第２枠片２０は、上記したように両端部の下部側が一定長さＬ１だけ切りかかれている。そのため、第１枠片１０及び第２枠片２０と水樋５０との配置構成については、図１５及び図１６に示すように、切欠き部が水樋５０を跨ぐように配置されている。なお、図１５及び図１６は、第２枠片２０と水樋５０との配置構成であるが、第１枠片１０と水樋５０との配置構成も全く同じである。
【００７２】
本実施の形態では、水樋５０を敷設した後で、複数枚の太陽電池モジュール１を敷設した。第１枠片１０及び第２枠片２０の両端部が水樋５０を跨ぐように配置されており、水樋５０と直接接触しない構造となっている。そのため、例えば、複数枚の太陽電池モジュール１を屋根上に敷設した後で、水樋５０を敷設することも可能である。
【００７３】
なお、図１６に示すように、縦枠である第３枠体３０と第４枠体４０は、つなぎ目部分が重なりあう構造となっている。第３枠体３０は短辺側下水受け片３４があるため、つなぎ目部分から水が入り込むことを防いでいるが、もし水が入り込んでしまった場合でも、短辺側下水受け片３４を水が通り、水樋５０上に水がおちることになる（図中、矢符Ｗ１により示す）。同様に、横枠である第1枠体１０と第２枠体２０も、つなぎ目部分が重なり合う構造となっている。よって、つなぎ目部分から水が入り込むことを防いでいるが、もし水が入り込んでしまった場合でも、第１横方向水受け部２４を水が通り、水桶５０上に水がおちることになる（図中、矢符号Ｗ２により示す）。
【００７４】
言い換えると、水桶５０は、各太陽電池モジュールのつなぎ目の２次防水の機能を有することになる。
【００７５】
本実施形態では、横枠である第１枠片１０と第２枠片２０とは、高さ方向が同じ高さ（Ｔ１０＝Ｔ２０）となるように形成されている。従って、これら枠片１０，２０によって支持された太陽電池モジュール１を、搬送するために平積みしたとき、図１８に示すように、各段の太陽電池モジュール１を水平に保つことができる。これにより、搬送時にそのまま積み重ねて搬送することができ、かつ、搬送時の振動等に対しても安定して搬送することができる。
【００７６】
なお、上記実施形態では、本発明の太陽電池モジュールを屋根に設置する場合について説明しているが、広い敷地に設置された設置架台上に本発明の太陽電池モジュールを多数設置して、大規模な太陽光発電システムとして適用することも可能である。
【００７７】
また、今回開示した実施形態はすべての点で例示であって、限定的な解釈の根拠となるものではない。従って、本発明の技術的範囲は、上記した実施形態のみによって解釈されるものではなく、特許請求の範囲の記載に基づいて画定される。また、特許請求の範囲と均等の意味及び範囲内でのすべての変更が含まれる。
【符号の説明】
【００７８】
１  太陽電池モジュール
２  太陽電池モジュール本体
３  枠体
１０  第１枠片
１１  主板
１１ａ  一側面（右側面）
１１ｂ  他側面（左側面）
１２ａ，１２ｂ  保持片
１３  重なり片
１４  第１横方向水受け片（第１水受け部）
１５  嵌め込み受け片
１６  下側リブ片
１７  ネジホール部
２０  第２枠片
２１  主板
２１ａ  他側面（右側面）
２１ｂ  一側面（左側面）
２２ａ，２２ｂ  保持片
２３  重なり受け片
２４  第２水受け部
２４ａ  第２横方向水受け片
２４ｂ  縦方向水受け片
２５  嵌め込み片
２５ａ  屈曲先端部
２７  ネジホール部
３０  第３枠片
３１  主体部
３１ａ  上面
３２  延長屈曲片
３４  短辺側下水受け片
３４ａ  屈曲先端部
３５  下側リブ片
３６  取付片
３７，３８  ネジ穴
４０  第４枠片
４１  主体部
４２  延長屈曲片
４４  短辺側上水受け片
４４ａ  屈曲先端部
４５  下側リブ片
４６  取付片
４７，４８  ネジ穴
５０  水樋
５１  樋本体
５２  導水壁
５３  溝部
６０  ネジ部材
【図１】
0005868209.tif 000002
【図２】
0005868209.tif 000003
【図３】
0005868209.tif 000004
【図４】
0005868209.tif 000005
【図５】
0005868209.tif 000006
【図６】
0005868209.tif 000007
【図７】
0005868209.tif 000008
【図８】
0005868209.tif 000009
【図９】
0005868209.tif 000010
【図１０】
0005868209.tif 000011
【図１１】
0005868209.tif 000012
【図１２】
0005868209.tif 000013
【図１３】
0005868209.tif 000014
【図１４】
0005868209.tif 000015
【図１５】
0005868209.tif 000016
【図１６】
0005868209.tif 000017
【図１７】
0005868209.tif 000018
【図１８】
0005868209.tif 000019